(57)【要約】【課題】  洗濯することによって繰り返し使用することができ、おむつ本体をおむつカバーと一体化させることにより装着、洗濯、乾燥、及び収納保管作業の軽減化が図れるカバー一体型おむつを提供する。【解決手段】  主として介護を要する成人に使用されるカバー一体型布おむつ１であって、吸収部材２とカバー部材３を有し、カバー部材３は、腰部から腹部にかけて覆う台布部４と、腰当布部５と、脇押え布部６を備え、三角形に近い防水布を、中央よりも高い位置に折返し線９を設定し、この折返し線の上部を下方に折り返し、大きい方前記台布部４とし、小さい方を前記腰当布部５に折返し被せる前記台布部４の内側と前記腰当布部との間に、吸収部材２を挟み、前記台布部４と腰当布部５と吸収部材２とを、折返し線に近い部分で縫い付けるとともに、前記吸収部材２を前記腰当布部５の下辺１０に近い部分で縫い付けることを特徴とする。【選択図】図４
2008264455.tif 000002
【特許請求の範囲】
【請求項１】
排泄物を吸収部材と、この吸収部材を覆うカバー一部材を有し、カバー部材は、腰部から腹部にかけて覆う台布部と、腰部にあてがう腰当布部は、脇から腹部に巻く脇押え布部を備え、身長方向に長い１枚の防水布を、中央よりも高い位置に折り返し線を設定し、この折り返し線の上部を下方に折り返す、この折り返した部分が背中へ染みでる尿を喰い止める。
前記腰当布部とし、前記台布部と前記腰当布部との重なり部分の左右両脇に脇押え布部を配置する一方、前記台布部内側と前記腰当布部との間に、身長方向に長い前記吸収部材を挟み、前記台布部と腰当布部と吸収部材とを、折り返し線に近い部分で縫い付けるとともに、前記腰当布部は、その下辺を前記台布部に縫い付けず、その下辺に近い部分で前記吸収部材と縫い付けることを特徴とする、カバー一体型布おむつ。
【請求項２】
左右の各脇押え布部の内側の上下に面ファスナーを取り付けて、下は、足の股を、上は、腰周りを、着脱自在に貼着でき尿漏れ防ぎ、大小の人に適合することを特徴とする請求項１のカバー一体型布おむつ。
【請求項３】
前記台布部として用いる防水布は、伸縮性を有することを特徴とする請求項１のカバー一体型おむつ。
【請求項４】
前記台布部の左右両脇の中央部付近にひも状のゴムを通す穴を台布部の布縁を大きく折り、大きい布をさらに折り返し、その折り返し部分が３重になり、その中心を縫う事で針穴からの尿の浸透を止める処理を施したことを特徴とする請求項１のカバー一体型おむつ。
【請求項５】
折り返し部分がギャザーの働きをし、ゴムのチジミで二重のギャザーとなり、尿漏れを喰い止める事を特徴とする請求項１のカバー一体型布おむつ。
【発明の詳細な説明】
【技術分野】
【０００１】  洗濯することによって繰返し使用することができ、おむつ本体をおむつカバーと一体化させることにより装着、洗濯、乾燥、及び収納保管作業の軽減化が図れるカバー一体型おむつに関する。
【背景技術】
【０００２】  高齢者人口の増加に伴い、介護施設や老人ホーム、医療関係等におけるおむつの需要が増えている。使い捨ての手軽さから紙おむつが使用されることが多い。しかし、紙おむつは、１回の使用だけで廃棄してしまうので、有限な資源を浪費するのみならず、ゴミ削減という社会の要請にも反する。また、償却時に有害物質が発生することもある。そこで、このような紙おむつの問題点に鑑み、特開２００１−７９０３３号記載の発明をはじめ、布おむつに関する発明が種種提案されている。
【特許文献１】特開２００１−７９０３３号
【発明の開示】
【発明が解決しようとする課題】
【０００３】  従来の布製のおむつは、複数枚の布の組を重ねて用いるタイプが主であり、布１枚ごとの作業となるため、着用者である高齢者などの披介護者に装着するときや、洗濯、乾燥、収納保管作業が大きな負担になっていた。そこで、例えば、特開２００１−７９０３３号に記載の布おむつでは、複数枚の布を縫付けて一つのおむつ本体にすることで、乾燥後ののし作業及びおむつ組み作業を軽減している。しかし、この布おむつでは、寝巻き等を汚さないためには、防水布製等のおむつカバーを着用させる必要がある。布おむつとは別におむつカバーが必要になるのでは、老人ホーム等において披介護者におむつを着用させるときの手間が軽減されない。洗濯、乾燥、乾燥後の収納保管等の作業を、布おむつとおむつカバーそれぞれで行わなければならず、負担であることに変わりがない。【０００４】本発明は、このような問題点の解決を目的としてなされたものであり、披介護者への装着作業、及び繰返し使用するための各種作業を容易にする布おむつを提供する。あわせて、繰返し使用しても、清潔感維持でき、かつ洗濯や乾燥の便宜も考慮した布おむつを提供することも目的とする。
【課題を解決するための手段】
【０００５】請求項１に記載の発明は、排泄物を吸収する吸収部材と、この吸収部材を覆うカバー部材を有し、カバー部材は、腰部から腹部にかけて覆う台布部と、脇から腹部に巻く脇押え布部を備え、身長方向に長い１枚の防水布を、中央よりも高い位置に折り返し線を設定し、この折返し線の上部を下方に折り返し、この折返した部分が腰部の尿漏れを止める、他方の部分を前記台布部とし、前記台布部と前記腰当布部との重なり部分の左右両脇にゴムを入れ脇押え布部に固定し腰を均等に締めることができる、前記台布部内側と腰部の折返した線近く部分で縫付けるとともに、前記腰当布部は、その下辺を前記台布部に縫付けず、その下辺に近い部分で前記吸収部材と縫い付けるカバー一体型布おむつであることを特徴とする。【０００６】「吸収部材」とは、排泄物を吸収するパット、つまり、おむつ本体をいう。下記の実施形態では、吸収部材が該当する。
「カパー部材」とは、おむつカバーが該当する。
本発明の「カバー一体型おむつ」は、「吸収部材」と「カバー部材」を備え、これらを縫付けて、一体としたものである。
「台布部内側」とは、着用者の皮膚に直接触れる側をいい、この上に吸収部材が置かれる。【０００７】請求項２に記載の発明は、請求項１に記載の発明において、左右の各脇押え布部の内側上下に接着部材を取り付け、カバー腹部の接着部材と着脱自在に貼着できることを特徴とする。【０００８】請求項３に記載の発明は、請求項１に記載の発明において、前記台布部として用いる防水布は伸縮性を有することを特徴とする。【０００９】請求項４の発明は、請求項１に記載の発明において、前記布縁を大きく折り、さらに折返し、その折返し部分が３枚になり、その中心を縫う事により針穴からの尿の浸透を止める処理を施したことを特徴とする。【００１０】請求項５に記載の発明は、請求項１に記載の発明において、前記台布部布縁左右を大きく折り中央部付近にひも状のゴムを通し、ギャザーを寄せ折返し部分もギャザーの働きをし、二重のギャザーとなり、尿漏れを止めることを特徴とする。
【発明の効果】
【００１１】請求項１〜５記載の発明は、吸収部材（吸収部材）とカバー部材（おむつカバー）と腰当部上部１箇所で縫い止め、腰当部下は吸収部材と縫い止めることで一体となっているので、装着に要する時間が短縮できる、吸収部材とカバー部材とが上部一箇所で縫い止めているため、吸収部材の大部分は台布部から分離している。そのため、洗濯の際に汚れを落としやすく、乾燥も速い。また、吸収部材の水分を絞るときに、おむつカバーに水分が溜まってしまうことがない。作業が短縮できる、収容保管のための作業が容易であり、乾燥させるための場所や保管場所として広いスペースをとらない。【００１２】請求項２に記載の発明により、介護者による着用者の体へのおむつの装着作業が簡単かつ迅速にできる。【００１３】請求項３に記載の発明により、着用者の体型に容易に合わせることができ、ずれたり漏れたりすることを防止できる。【００１４】請求項４に記載の発明により、縫糸及び縫い穴からの尿の染み出しがないので、着用者の衣服が汚れない。【００１５】請求項５に記載の発明により、下肢の付け根部分と脇押え左右にゴムが取り付けているので着用者にフィットし、ずれや、尿漏れを防止できて装着感がよい。
【発明を実施するための最良の形態】
【００１６】本発明のカバー一体型布おむつの実施形態を以下に説明する。
１、カバー一体型布おむつの構成
図１に示すように、本実施形態のカバー一体型布おむつ１は、吸収部材２と、おむつカバー３とを一体にしたものとして、構成される。
ただし、一体ではあるが、吸収部材２の下方は、おむつカバー３と分離している。
おむつカバー３は、台布部４、腰当部５及び脇押え布部６から成る。おむつカバー３については、後で詳しく説明する。【００１７】吸収部材の構成
吸収部材２は、ポリエステル１００％ランダム構造により高い空間率と三層構造による毛細管現像によって、抜群の吸収、中間層で保水するため、表面はさらさら、抜群の耐久性、速乾性、防菌防臭加工なので清潔。さらに、リサイクル可能な繊維なので、使用済おむつは、製品を作る糸に生まれ変わりゴミを出しません。吸収保水量は、５００ＣＣが可能である、夜間点滴などで尿量は多い人で５００ＣＣ程度になるからである。
吸収部材２の形状は、上辺が下辺よりも巾が広く細長い矩形状である。その身長方向の長さ及び横幅は、装着したときに、台布部４からはみ出さない程度に台布部４の長さ及び横幅よりも短くする。【００１８】２・おむつカバーの構成
次に、図２と図３に従い、おむつカバー３の構成を説明する。
図２は、おむつカバー３を内側から見た図である。ここで内側とは、着用者の皮膚に触れる側を意味する。台布部４は、着用者の腰部から腹部を４被うので、人の身長方向に長い台形状している。腰部から腰当布部５は、着用者の腰部を締める。大きい方の部分を台布部４とし、小さい方の部分を腰当布部５とする。
腰当布部５の下辺１０は、台布部４に縫い付けず、開縁部としておく。これは、後で説明するように、洗濯後の乾燥時間の短縮のためである。【００１９】  台布部４の布縁前当布部７は台布部より横に長くし面ファスナーが自在に付く布地を使用し大小のサイズの可変性が確保できるので、多くの着用者への提供が容易となる。【００２０】  ここで、台布部４の左右両側に腰当布部５の下から、前当布部７まで、布の伸縮性を活用した布をゴムとした１３を通す、ゴムの両端を引き伸ばした状態でその両端１２を大きく内側に折り返し、さらに折返し中央部を縫い合わせる。布が３重になり布の収縮性を利用し縫い穴からの排泄物の染み出しを止める事ができる、さらに折返し部分がギャザーの働きをし、排泄物の漏れを防ぐ働きをすることが特徴である。排泄物の漏れを防ぐためにギャザーを使用するのが通常である。【００２１】  台布部４を腰当布部５の上に３センチ折返し重ねる。折返し部分が吸収した排泄物が背中からの漏れを止める。腰当布部５の左右両側先端部を折返した長方形部分を、脇押え６とし、縫い線１１で確実に縫付ける。【００２２】  脇押え布部６の内側上下に第１接着部材１４を取り付ける。ここで内側とは、着用者の腹部に巻き付けたとき、その腹部に触れる側をいう。
図３は、おむつカバー３を外側から見た図である。台布部４の外側の下方に取り付けた第２接着部材７が、第一接着部材１４と対になるものであり、両者は着脱自在である。【００２３】  腰当布部５および第２接着部材７に用いる繊維は、ポリエステル１００パーセント、水分を吸収しにくい、通風性にすぐれさらっと感人体にやさしい素材を使用する。本発明に係るおむつの着用者として、主に高齢者などの成人を想定している。乳児と異なり、成人の体系は千差万別である。その為前当布部７はカバーより横長にし胴周りを自在に調整できる。サイズは２種類を用意するだけで、需要に応じることができる。【００２４】３、吸収部材とおむつカバーの一体化
図４と図５に、吸収部材２を、おむつカバー３に縫い付けた状態を示す。図５に示すように、台布部４の内側と腰当布部５の間に、吸収部材２を挟む。挟む位置は、吸収部材２の上端が折返し線９の近辺とする。図４に示すように、折り返し線９に近い部分１５Ａで、台布部４と吸収部材２と腰当布部５とを縫付ける。
次に、腰当布部５の下辺に近い部分１６Ａで、吸収部材２と腰当布部５とを縫い付ける。このように、吸収部材２がおむつカバー３と縫い合わされる箇所は、折返し線１５Ａと１６の２箇所だけである。しかも、台布部４と縫い合わされる箇所は、折返し線９に近い１箇所（縫い線１５Ａ）だけである。【００２５】４、カバー一体型布おむつの装着
次に、本実施形態のカバー一体型おむつの使用について説明する。
介護者は、図４の状態に開いたカバー一体型おむつ１の上に、着用者の腰部を載せるようにする。次に、図６に示すように、吸収部材２と台布部４を、この順に着用者の股通して腹部側へ回す。次に、左右の脇押え布部６を脇から腹部側に回し、脇押え布部６の内側に取り付けられた第１接着部材１４を、台布部４の外側にある第２接着部材７に貼着させる。このようにして、吸収部材１４、７によって、カバー一体型布おむつ１は、着用者の身体に確実に固定される。【００２６】  なお、図６に示すように、第１接着部材１４の面積に比べ、第２接着部材７は面積を広くとっている。そのため、第１接着部材１４を貼り付ける位置の自由度が確保される。これは、着用者の体格に合わせた適当な箇所でおむつカバー３を確保される。これは、着用者の体格にあわせた適当な箇所でおむつカバー３を固定できるようにするためである。【００２７】  このおむつカバー３は、伸縮性ある素材が用いられ、左右の下股の付け根部分にゴムでギャザー寄せられている。そのため、極端に大柄であったり小柄であったりしない限り、様々な体格の人にフィットするので、ずれたり、排泄物が漏れにくい。そのため、着用者にとって装着感がよく、しかも、衛生的である。【００２８】  また、長時間の着用によって、吸収部材２に多量の水分が吸収されても、防水布の折返し布部５があるので、腰部が湿ることがない。そのため、むれることがなく、床ずれの防止にもなる。【００２９】５、カバー一体型布おむつの洗濯と乾燥
次に、使用後のカバー一体型布おむつ１の扱いについて説明する。図７に示すように、左右両側の脇押え布部６を、着用時とは反対側に折り返すとともに、台布部４の裾を外側に向かって折り返す事により、第１接着部材１４と第２接着部材７とを接着させる。そこで、この状態で、洗濯機に投入すればよい。一般的に、接着部材１４と７の正面は、微小なループやフックが密集しているので、他の繊維にもからみつきやすい。しかし、本実施形態では、接着部材同士を接着させているので、洗濯などの場合でも、他の繊維とからまる心配はない。
また、洗濯の際に汚れを落としやすく、乾燥も速い。また、吸収部材２の水分を絞るときにおむつカバー３に水分が溜まってしまうことはない。【００３０】  図５に示すように、吸収部材２と台布部４との縫い合わせ部分は、縫い線１５Ａの１箇所だけである。このように、縫い付け箇所を必要最小限にしたので、台布部４と吸収部材２との間の空気の流通がよい。そのため、水蒸気が気化しやすく、乾燥時間を短縮させることができる。【００３１】このように、洗濯も乾燥も、吸収部材２とおむつカバー３とを一体としてできるので作業が容易かつて迅速にできる。
また、吸収部材２とおむつカバー３とが一体であるから、吸収部材とおむつカバーを別々に折り畳んだり、個別のケースに入れて保管したりしなくてもよい。したがって、収納・保管作業の効率も向上する。【００３２】６、その他
上記実施形態では、身体への固定は、面ファスナーのような着脱自在の手段を用いていた。しかし、紐で結んだり、ボタン類で留めたりしても差し支えない。また、台布部４は腰当布部５に、１枚の布を折り返して用いていた。しかし、これに限らず、異なる布を重ねて用いてもよい。この場合、上辺同士は、必ずしも縫い合わせなくてもよい。台布部と腰当布部とは、その上辺付近にて、吸収部材と一緒に縫い合わされるからである。
さらに、脇押え布部６は、腰当布部１枚の布を用いているが。これらの・各部は、別の布から構成してもよい。なお、以上の説明において、着用者として介護を要する高齢者等を想定していたが、本発明のカバー一体型おむつを乳児に対して使用してもよいことは言うまでもない。【００３３】つまり、上記のように開示された実施の形態はすべての点で例示であって、制限的なものではない、したがって、種種の変形が可能である。しかし、その変形が特許請求の範囲に記載された技術思想に基づくものである限り、その変形は本発明の技術的範囲に含まれる。【００３４】  以上詳細に説明したように、本発明によれば、吸収部材（吸収部材）とカバー部材（おむつカバー）とが一体となったおむつカバーを提供し、むれることが無く衛生的にすることができるとともに、おむつカバーを大量に使用する介護施設、病院等においては費用の低減図ることができ、しかも環境保護に貢献することができる。
【図面の簡単な説明】
【００３５】
【図１】本実施形態のカバー一体型布おむつの構成を示す図である。
【図２】本実施形態のおむつカバーの正面図である。
【図３】本実施形態のおむつカバーの背面図である。
【図４】本実施形態のカバー一体型布おむつの正面図である。
【図５】本実施形態のカバー一体型布おむつの断面図である。
【図６】本実施形態のカバー一体型布おむつの装着した状態を示す図である。
【図７】本実施形態のカバー一体型布おむつの洗濯時の状態を説明する図である。
【符号の説明】
【００３６】１    カバー一体型布おむつ
２    吸収部材
３    カバー部材
４    台布部
５    腰当布部
６    脇押え布部
９    折返し線
１０  ５の下辺
１２  布縁
１３  紐状のゴム
【図１】
2008264455.tif 000003
【図２】
2008264455.tif 000004
【図３】
2008264455.tif 000005
【図４】
2008264455.tif 000006
【図５】
2008264455.tif 000007
【図６】
2008264455.tif 000008
【図７】
2008264455.tif 000009